(57)【要約】  【課題】  極めて簡単な構造によって、キャップ本来の塗布部の気密保持を行うと共に、誤って飲み込んだ場合の安全性を確保する塗布具用キャップを提供する。  【解決手段】  一端が閉塞された筒体１１で形成され、塗布具の本体部に装着して塗布部を気密保持する塗布具用キャップ１０において、筒体１１の外周部１１ａの一部に突出部１２を設けた構成とされている。【選択図】  図１
2011152797.tif 000002
【特許請求の範囲】
【請求項１】
一端が閉塞された筒体で形成され、塗布具の本体部に装着して塗布部を気密保持する塗布具用キャップにおいて、
前記筒体の外周部の一部に突出部を設けたことを特徴とする塗布具用キャップ。
【請求項２】
一端が前記筒体の外周部に固定され、他端が筒体の開口側へ向けて略軸方向へ沿って延伸するクリップを設けたことを特徴とする請求項１に記載の塗布具用キャップ。
【請求項３】
前記突出部は、前記筒体の開口側の近傍に設けられることを特徴とする請求項１または２に記載の塗布具用キャップ。
【請求項４】
前記突出部は、突起で形成されることを特徴とする請求項１乃至３のいずれか１項に記載の塗布具用キャップ。
【請求項５】
前記突出部は、略軸方向または略周方向へ向けて突設される所定長のリブで形成されることを特徴とする請求項１乃至４のいずれか１項に記載の塗布具用キャップ。
【請求項６】
キャップの最大外接円の直径が、前記筒体の最大外径の１．２５倍以上であることを特徴とする請求項１乃至５のいずれか１項に記載の塗布具用キャップ。
【請求項７】
キャップの最大外接円の直径が、前記筒体の最大外径の１．３倍以上であることを特徴とする請求項１乃至５のいずれか１項に記載の塗布具用キャップ。
【請求項８】
前記クリップの最大幅が、隣接する突出部同士の間で形成される隙間の最小幅、あるいは、隣接する突出部とクリップの間で形成される隙間の最小幅のいずれよりも小さいことを特徴とする請求項２乃至７のいずれか１項に記載の塗布具用キャップ。
【請求項９】
前記筒体の内周部には、前記本体部の周部と当接または係合して気密を保持する少なくとも１以上の気密環が設けられており、前記突出部および前記クリップの端部は、当該気密環の設けられた部位を除く筒体の外周部に設けられることを特徴とする請求項１乃至８のいずれか１項に記載の塗布具用キャップ。
【請求項１０】
前記突出部または前記クリップの少なくともいずれか一方は、前記筒体と一体的に成形されることを特徴とする請求項１乃至９のいずれか１項に記載の塗布具用キャップ。
【発明の詳細な説明】
【技術分野】
【０００１】
本発明は、ボールペンやサインペンなどの種々の塗布具に装着されるキャップに係り、更に詳しくは、構造を簡略化させつつ誤って飲み込んだ場合における空気流路を確保して安全性を向上させたものに関する。
【背景技術】
【０００２】
近時、ボールペンやサインペン、マーカなどの塗布具が普及しており、デザインに趣向を凝らした種々の形のものが使用されている。このような塗布具は、本体部にキャップを装着することにより、本体部先端に設けられた塗布部の乾燥を防ぐと共に保護するようにされている。
このような塗布具のキャップは形状が小さいため、幼児や子供が手にとって遊ぶことが多く、誤って飲み込んで窒息するような事故の要因になることがある。
【０００３】
そこで、このような塗布具では、誤ってキャップを飲み込んで喉や気管につかえた場合でも、所定の空気流路を確保できるような形状とすることが安全性規格で義務づけられている。  
則ち、誤って飲み込んだ場合でも、所定の空気流路を介して呼吸を維持させつつ、その間に必要な処置を行うことにより、安全性を確保するようにされている。このように、尊い命を守るべく安全性規格に準拠した塗布具が製品化されている。
【０００４】
ところで、塗布具のキャップは、前記したように本体部に装着されて、本体部先端に設けられた塗布部の乾燥を防ぐと共に保護するものである。このため、塗布部に対しては気密性が要求される。一方、キャップを飲み込んだときの空気流路を確保しなければならない。則ち、キャップを本体部に装着したときには、キャップの内部空間と外部とが連通してはならず、しかも、キャップ単体では、開口側を除いてキャップの内部空間と外部とを連通させなければならない。このように、キャップに要求される気密性の機能と安全性とが相反するものであった。
そこで、相反する条件を満足するべく、二重構造のキャップが用いられるようになった。
この二重構造のキャップは、塗布部の乾燥を防ぐための内筒部と、内筒部を内包する外筒部とを有した二重構造を有し、内筒部と外筒部との間に隙間を設けて空気流路を確保するものである。この二重構造のキャップは、一般に合成樹脂材を射出成形して一体化して形成されるものが多い。
【先行技術文献】
【特許文献】
【０００５】
【特許文献１】実開平４−１０４４８７号公報
【発明の概要】
【発明が解決しようとする課題】
【０００６】
ところが、前記した二重構造のキャップは、気密性のみを考慮したキャップに比べて構造が極めて複雑になり、金型の複雑化に伴ってコストの増加を招き、製造を困難なものにしていた。
また、このような内筒部と外筒部とを有した二重構造のキャップは、円筒形の外形を有するものが多く、喉などにつかえにくいため、誤って飲み込んでしまうと、途中でつかえずに体内に深く入り込み易い不具合があった。
【０００７】
本発明は、従来のこのような問題点に鑑みて提案されるもので、極めて簡単な構造で、キャップ本来の塗布部の気密保持を行うと共に、誤って飲み込んだ場合でも空気流路を確保することのできる塗布具用キャップを提供することを目的としている。
【課題を解決するための手段】
【０００８】
前記目的を達成するために提案される本発明は、一端が閉塞された筒体で形成され、塗布具の本体部に装着して塗布部を気密保持する塗布具用キャップにおいて、筒体の外周部の一部に突出部を設けた構成としている。
【０００９】
キャップが筒体だけで構成されたものでは、筒体の外周部は滑らかであり、誤って飲み込むと、喉などでつかえずに体内に深く入り込み、気管まで達してしまう虞がある。
しかし、本発明のキャップは、筒体の外周部の一部に突出部を設けている。則ち、筒体の外周部は滑らかであるが、突出部を設けることで引っ掛かりを生じさせている。特に、本発明では、筒体の外周部の全長に渡って突出部を設けるのではなく、外周部の一部分だけに突出部を設けている。
これにより、筒体の外周部と突出部との間に段部が形成され、喉や気管などの内径の異なる部分でつかえ易くしている。
【００１０】
一方、誤って飲み込んだキャップが喉や気管でつかえると、筒体に設けられた突出部によって、喉壁や気管壁が押し広げられる。これにより、筒体の外周部と喉壁や気管壁との間に隙間が生じ、この隙間を介して空気流路が形成されて呼吸を維持させることが可能となる。
則ち、従来のキャップが内部空間と外部とを連通させる空気流路を確保するものであったのに対して、本発明のキャップは、キャップの外周部に沿った空気流路を確保する点に特徴を有するものである。これにより、複雑な２重構造を採る必要がなく、構造が極めて単純になる。
【００１１】
また、本発明のキャップは、筒体の一端が閉塞されているので、キャップ本来の機能、則ち、塗布具の本体部に装着して塗布部を気密保持すると共に保護することが可能である。
更に、筒体の外周部に突出部を設けることにより、キャップ単体の転がり、あるいは、キャップを本体部へ装着したときの塗布具自体の転がりを防止する効果を奏する。
【００１２】
前記本発明において、突出部は、筒体の開口側の近傍に設けた構成とすることができる。
筒体の開口側近傍の外周部にだけ突出部を設けることにより、喉や気管などの内径が変化する部分や、管が曲がった部分で突出部がつかえ易くなる。
これにより、誤って、キャップの開口側あるいは閉塞端側のいずれの方向から飲み込んでも、筒体の突出部が喉壁や気管壁につかえて、体内の奥へ入り込むことが抑止される。
また、閉塞端側から飲み込んだキャップを引き出す場合、突出部同士の間の隙間と筒体の内周部との間にピンセットなどを差し込んで掴むことができる。これにより、キャップを掴もうとして、キャップ自体が更に体内に押し込まれるような不具合が低減する。
突出部は、筒体の開口側の近傍以外にも、閉塞端側や中央部に設けることもできる。
【００１３】
前記本発明において、一端が筒体の外周部に固定され、他端が筒体の開口側へ向けて略軸方向へ沿って延伸するクリップを設けた構成とすることができる。
クリップの端部は、筒体の外周部の適宜の位置に固定することができる。
例えば、クリップの端部を筒体の開口側近傍に固定し、筒体の開口側へ向けて軸方向へ沿って延伸させることができる。また、クリップの端部を筒体の閉塞端側近傍に固定し、筒体の開口側へ向けて延伸させても良い。また、クリップの端部を筒体の中央部、則ち、開口側と閉塞端側との途中に固定することも可能である。
【００１４】
筒体にクリップを設けることにより、塗布具をポケットなどに固定できるのは勿論であるが、更なる効用として、誤って飲み込んだ場合の体内への侵入が抑制される点が挙げられる。
則ち、口から喉を通って気管に至る流路は、直線状ではなく曲がっている。このため、直線状でできるだけ長い形状の物ほど、誤って飲み込んだ場合に体内に入り込み難い。
【００１５】
本発明のキャップは、クリップが筒体から延伸するように設けられるので、筒体だけの場合に比べてキャップの全長が増大し、体内へ入り込み難くなる。
また、キャップを筒体の閉塞端側から誤って飲み込んだ場合には、クリップの先端部をピンセットなどで掴んで引き出し易い。逆に、キャップをクリップ側から飲み込んだ場合は、筒体の閉塞端側から飲み込んだ場合に比べてクリップの先端部や突出部が喉壁などにつかえ易く、一層体内に入り込み難い。
また、筒体にクリップを設けるので、突出部だけを設ける場合に比べてキャップ自体が一層転がり難くなり、キャップを本体部に装着した場合にも同様に塗布具の転がりを防止できる。
【００１６】
前記本発明において、突出部は、突起で形成される構成とすることができる。
前記したように、本発明のキャップでは、突出部が２つの機能を有する。
則ち、突出部は、キャップが喉壁や気管壁につかえたときに、喉壁などを押し広げるように当接して筒体の外周部と喉壁との間に隙間を作る機能と、筒体の表面に引っ掛かりを持たせる機能とを有する。
従って、これらの機能を有するものであれば、突起（突出部）は、筒体の外周部の一部に適宜に配することができる。突起の数は１つでも良く、また、外周部に沿って複数設けることもできる。
また、突起の形状は、例えば、円筒形状、角柱形状、円錐形状などの種々の形状を採ることができる。
突起の先端部は、鋭利なほど、誤って飲み込んだときに喉壁などに引っ掛かり易いが、逆に、喉壁などを傷つけ易い。また、塗布具の使用時におけるキャップの触感も考慮して、突起の先端部は適宜の丸みを持たせるのが良い。
【００１７】
前記本発明において、突出部は、略軸方向または略周方向へ向けて突設される所定長のリブで形成される構成とすることができる。
前記したように、突出部に要求される機能は、喉壁などを押し広げて筒体の外周部と喉壁との間に隙間を作る機能と、筒体の表面に引っ掛かりを持たせる機能であった。従って、このような機能を有する形状であれば、突出部は、前記した突起に限らず、リブを用いて形成することもできる。
【００１８】
リブを略軸方向へ向けて突設する場合、例えば、所定長のリブを筒体の開口側端部から軸方向（閉塞端側）へ向けて筒体の外周部に配することができる。また、軸方向へ向いた同一形状のリブを、外周部に放射状に複数並べて配することができる。このようにリブを軸方向へ向けて設けることにより、リブによって喉壁などを押し広げ、リブと筒体の外周部との間に隙間を生じさせて空気流路を形成することができる。
【００１９】
一方、リブを略周方向へ向けて突設する場合、例えば、所定長のリブを筒体の外周部の周方向へ向けて配することができる。また、同一形状のリブを、リブの端部同士の間に所定の間隔をあけて軸に対して放射状に複数配することができる。また、周方向へ向けて設けたリブと同一形状のリブを、軸方向へ向けて複数列並べて配することも可能である。
このようにリブを周方向へ向けて設けることにより、リブによって喉壁などを押し広げ、リブの端部と筒体の外周部との間に隙間を生じさせて空気流路を形成することができる。
【００２０】
前記本発明において、キャップの最大外接円の直径が、筒体の最大外径の１．２５倍以上である構成とすることができる。
ここで、本発明のキャップでは、筒体の外周部に突出部あるいはクリップを設けているので、突出部が設けられた部位、または、突出部およびクリップが設けられた部位において最大外接円が得られる。この最大外接円の直径が、筒体の最大外径の１．２５倍以上である構成とすることができる。
前記したように、突出部は、喉壁などを押し広げて筒体の外周部と喉壁との間に隙間を作る機能と、筒体の表面に引っ掛かりを作る機能を有するものであり、クリップも同様の機能を有する。
従って、突出部の高さあるいはクリップの高さ（厚さ）が増大するに連れて、隙間が広がり、引っ掛かり易くなる。
【００２１】
ところで、キャップを誤って飲み込んで喉や気管につかえた場合に、形成される空気流路は、キャップに弾性チューブなどを被せて等価的に評価できる。
例えば、キャップ全体に、キャップの最大外径の８０％〜８５％の内径を有する弾性チューブ（シリコンチューブなど）を被せ、この状態で所定の空気流量が得られる空気流路を確保することによって等価的に安全性を評価できる。
則ち、キャップの筒体の最大外径がキャップの最大外径の８０％未満であれば、キャップの最大外径の８０％の内径を有するチューブを被せると、筒体の外周部とチューブ内壁との間に隙間を生じさせて空気流路を形成することができる。
言い換えれば、キャップの最大外径が筒体の最大外径の１．２５倍以上であれば、喉壁などとの間に隙間を生じさせることが可能である。
【００２２】
従って、突出部が設けられた部位、または、突出部およびクリップが設けられた部位の最大外接円の直径は、空気流路を確保するために、筒体の最大外径の１．２５倍以上であれば良い。
最大外接円の直径が筒体の最大外径の１．２５倍に満たないとき、則ち、突出部やクリップの高さが充分でないときは、筒体の外周部と喉壁などとの間に充分な隙間が確保できず、空気流路が形成されない虞が生じる。また、１．２５倍に満たない形状ではクリップや突出部の高さが充分でないために、筒体の表面の引っ掛かりとしての効果も低減する。
【００２３】
前記本発明において、キャップの最大外接円の直径が、筒体の最大外径の１．３倍以上である構成とすることができる。
前記したように、キャップの最大外径の８０％の内径を有するチューブをキャップに被せた場合に、キャップの最大外接円の直径が、筒体の最大外径の１．２５倍以上であれば空気流路を確保できる。しかし、キャップの最大外接円の直径を、筒体の最大外径の１．３倍以上とすることが望ましい。
キャップの最大外接円の直径が、筒体の最大外径の１．３倍以上であれば、キャップにチューブを被せた場合に、一層大きな隙間が形成され、安定した空気流路を確保することができる。また、筒体の表面の引っ掛かりとしての効果も更に増大する。
【００２４】
前記本発明において、クリップの最大幅が、隣接する突出部同士の間で形成される隙間の最小幅、あるいは、隣接する突出部とクリップの間で形成される隙間の最小幅のいずれよりも小さい構成とすることができる。
キャップの製造工程において、一時的に多数のキャップを１つの容器に収納することがある。このとき、キャップのクリップが、別のキャップの突出部同士の間の隙間に入り込んだり、あるいは、別のキャップの突出部とクリップの間の隙間に入り込んで繋がった状態となり、製造工程における作業能率を低下させることがある。
本発明のキャップによれば、クリップの最大幅が隙間の最小幅よりも小さくなるようにキャップが形成される。これにより、クリップ同士が繋がるような不具合がなくなり、作業能率の低下が防止される。
【００２５】
前記本発明において、筒体の内周部には、本体部の周部と当接または係合して気密を保持する少なくとも１以上の気密環が設けられており、突出部およびクリップの端部は、気密環の設けられた部位を除く筒体の外周部に設けられる構成とすることができる。
塗布具のキャップは、本来、本体部に装着して塗布部を気密保持しつつ保護する物である。
キャップを本体部に被せて塗布部の気密を保持させるには、キャップの内周部と、キャップが嵌合する本体部の外周部との形状を一致させるように精密に製造する必要が生じる。
【００２６】
このため、キャップおよび本体部を合成樹脂材を射出成形して製造するような場合、成形品に高い寸法精度が要求され、金型の作成が困難になる。
そこで、例えば、キャップの筒体の内周部に僅かに突出させた気密環を周方向へ向けて全周に渡って設け、キャップを本体部に嵌合させたときに、若干のテーパを設けた本体部によって気密環を僅かに弾性変形させつつ本体部の外周部に押圧して、高い気密性を得る構成が採られる。このため、キャップの筒体の内周部に設ける気密環には真円度が要求される。
ところが、筒体の気密環を設けた部位の外周部に、部分的に突起やリブなどを設けると、射出成形時にヒケや気泡が発生し易く、気密環の真円度が著しく損なわれる。
【００２７】
しかし、本発明のキャップによれば、筒体の外周部に設ける突出部（突起やリブ）あるいはクリップの端部は、気密環の設けられた部位を除く筒体の外周部に設けられる。これにより、射出成形によって気密環の真円度が損なわれることがなく、高い気密性を確保することができる。
【００２８】
また、前記本発明において、突出部またはクリップの少なくともいずれか一方は、筒体と一体的に成形される構成とすることができる。
本発明のキャップは、前記したように、筒体の外周部に突出部を設けた構成、あるいは、筒体の外周部に突出部およびクリップを設けた構成である。
従って、筒体と突出部やクリップを別々に作り、筒体に突出部やクリップを接合してキャップを製造することもできる。しかし、製造に手間が掛かり作業効率が悪い。
本発明のキャップは、前記したように極めて単純な構成であるので、例えば、合成樹脂材を射出成形して形成する場合、金型の製作も容易である。
筒体、突出部およびクリップを一体化して成形することにより、製造コストを低減し、作業効率を向上させることができる。
【発明の効果】
【００２９】
本発明の塗布具用キャップによれば、極めて簡単な構造によって、体内に深く入り難く、引き出し易い形状で、しかも、喉や気管につかえたときには空気流路を確保することが可能となる。また、キャップ本来の機能である気密性にも優れている。これにより、安全性を確保し、省コスト化が図れ、作業効率を向上させた塗布具用キャップを提供できる。
【図面の簡単な説明】
【００３０】
【図１】（ａ）は本発明の第１実施形態に係るキャップの斜視図、（ｂ）は（ａ）のＡ方向矢視図、（ｃ）は（ａ）のＢ−Ｂ矢視断面図である。
【図２】（ａ）は図１に示すキャップをチューブに通した状態で形成される空気流路を示す断面図、（ｂ）は（ａ）のＡ方向矢視図である。
【図３】図１に示すキャップを飲み込んだ状態を示す断面図である。
【図４】図１に示すキャップを塗布具の本体部へ装着した状態を示す断面図である。
【図５】（ａ）〜（ｄ）は、図１に示すキャップにおいて、リブ（突出部）を設ける数を変化させた例を示す説明図である。
【図６】（ａ）は本発明の第２実施形態に係るキャップの斜視図、（ｂ）は（ａ）のＡ方向矢視図、（ｃ）は（ａ）のＢ−Ｂ矢視断面図である。
【図７】（ａ）は図６に示すキャップをチューブに通した状態で形成される空気流路を示す断面図、（ｂ）は（ａ）のＡ方向矢視図である。
【図８】（ａ）〜（ｄ）は、図６に示すキャップにおいて、リブ（突出部）を設ける数を変化させた例を示す説明図である。
【図９】（ａ）は図８（ｃ）に示すキャップのクリップが、隙間に挟まる状態を示す説明図、（ｂ）はクリップが隙間に挟まらない形状を示す説明図である。
【図１０】本発明の別の実施形態のキャップを示す正面図、側面図および底面図である。
【図１１】本発明の別の実施形態のキャップを示す正面図、側面図および底面図である。
【図１２】本発明の別の実施形態のキャップを示す正面図、側面図および底面図である。
【図１３】本発明の別の実施形態のキャップを示す正面図、側面図および底面図である。
【図１４】（ａ），（ｂ）は、突出部（突起）を設けた別の実施形態のキャップを示す斜視図である。
【発明を実施するための形態】
【００３１】
以下に、図面を参照して本発明の実施形態を説明する。
【００３２】
（第１実施形態）
図１は本発明の第１実施形態の塗布具用キャップ１０を示すもので、図１（ａ）は塗布具用キャップ１０を示す斜視図、図１（ｂ）は（ａ）のＡ方向矢視図、図１（ｃ）は（ａ）のＢ−Ｂ矢視断面図である。
キャップ１０は一端が閉塞された円筒形の筒体１１の外周部１１ａに、４本の突出部（リブ）１２を設けた形状である。
【００３３】
詳細に説明すると、筒体１１の一端は閉塞されて閉塞端１１ｂを形成しており、閉塞端１１ｂは半球形状である。筒体１１の他端は開放されて開口１１ｃを形成している。この筒体１１は開口１１ｃ側の外径に対して閉塞端１１ｂ側の外径が僅かに小さくなるように形成されている。
開口１１ｃ側の外周部１１ａには、開口１１ｃの端部からキャップ１０の軸方向へ向けて短いリブ１２が、周方向へ９０度の間隔をおいて４本突設されている。
リブ１２は、短い角柱片形状であり、表面は面取が施されて丸みを帯びている。このリブ１２は、開口１１ｃ側から閉塞端１１ｂ側に向かうに連れて高さが僅かに減少する形状である。また、各々のリブ１２の開口１１ｃ側の端部には、半球形の飾り玉１１ａが設けられている。
【００３４】
このキャップ１０では、キャップ１０の外径寸法と筒体１１の外径寸法との間に所定の関係を持たせた形状としている。
則ち、図１（ｂ）に示すように、筒体１１の最大外径寸法（開口１１ｃ端部における外径寸法）をφＢとし、キャップ１０の最大外接円の直径（リブ１２が設けられた部位の最大外接円の直径）をφＡとすると、φＡがφＢの１．３倍以上（本実施例では１．４倍）の寸法となるようにしている。これにより、後述するように、キャップ１０を誤って飲み込んだときの空気流路が確保されるようにしている。
【００３５】
また、図１（ｃ）に示すように、筒体１１の内部は空洞であり、後述する塗布具本体と嵌合して塗布部を気密保持する気密室１１ｅが形成されている。
筒体１１は、開口１１ｃ端部から閉塞端１１ｂに向かうに連れて僅かに内径寸法が減少する形状である。そして、開口１１ｃ近傍の内周壁１１ｄにおけるリブ１２に対応した部位に、内部に僅かに突出した４つの係合突起１１ｇが設けられている。
また、筒体１１の長さ方向の略中央部には、内周壁１１ｄから僅かに内部へ突出した３本の気密環１１ｆが、内周方向へ向けて設けられている。
更に、筒体１１の閉塞端１１ｂの内部には、後述する塗布部の先端を保護する球形の保護部材１３を保持するリブ１１ｈが、開口１１ｃ側へ向けて４カ所に設けられている。このリブ１１ｈは開口１１ｃ側から閉塞端１１ｂ側に向かうに連れて傾斜した傾斜部と、傾斜部から閉塞端１１ｂ側の間に至る所定高さの保持部で形成されている。
【００３６】
このような構成のキャップ１０を誤って飲み込んだ場合に形成される空気流路を、図２を参照して説明する。
図２（ａ）は、キャップ１０にシリコンチューブを被せた場合に形成される空気流路を示す断面図、図２（ｂ）は（ａ）のＡ方向矢視図である。
キャップ１０が喉や気管につかえた状態は、シリコンチューブＴをキャップ１０全体に被せた状態で等価することができる。この例では、キャップ１０の最大外径φＡの８０％の内径を有するシリコンチューブＴをキャップ１０に被せた状態で、形成される空気流路の評価を行っている。
【００３７】
前記したように、キャップ１０の最大外径寸法φＡは、筒体１１の最大外径寸法φＢの１．４倍としているので、φＢはφＡの７１％の寸法である。
従って、キャップ１０に、最大外径の８０％の内径を有するシリコンチューブＴを被せると、リブ１２によってシリコンチューブＴが押し広げられると共に、筒体１１の外周部１１ａとシリコンチューブＴとの間に隙間１ａが生じる。
則ち、シリコンチューブＴの上流側と下流側は、キャップ１０の筒体１１の外周部１１ａに沿って生じる隙間１ａで形成される空気流路Ｌを介して連通する。これにより、キャップ１０を誤って飲み込んで喉や気管に詰まっても、空気流路Ｌを介して呼吸を維持させつつ必要な処置を行うことが可能となる。
【００３８】
また、キャップ１０に設けられたリブ１２は、空気流路Ｌを形成する機能以外にも、誤って飲み込んだキャップ１０が体内へ深く入り込むことを抑制する働きがある。
図３は、キャップ１０を口３０から飲み込んで喉３１の近傍でつかえた状態を示す断面図である。図から分かるように、喉３１や気管３２は湾曲しており、内径も変化している。従って、キャップ１０を飲み込むと、外周部１１ａとリブ１２とで形成される段部が喉壁や気管壁につかえ易く、キャップ１０が体内に深く入り込むことが抑止される。
また、図３に示したような状態で喉３１につかえたときは、例えば、ピンセットなどを用い、リブ１２同士の間で形成される隙間と筒体１１の内周壁との間に差し込むようにして掴んで引き出すことができる。これにより、キャップ１０を掴むために、キャップ１０自体が更に奥に押し込まれる不具合が低減する。
【００３９】
図４は、本実施形態のキャップ１０を塗布具１の本体部２０へ装着した状態を示す断面図である。
塗布具１の本体部２０は、筒状の本体軸２１の先端部に塗布部２２を嵌入させて形成される。本体軸２１は、大径部２１ａと先端の小径部２１ｂを有し、大径部２１ａの近傍の小径部２１ｂには、外周部の周方向へ向けて僅かに突出させた係合環２１ｃが設けられている。また、小径部２１ｂは先端に向かうに連れて僅かに外径が小さく形成されている。
また、塗布部２２は円錐形状を有し、先端に筆記用ボール２２ａが装着されている。
【００４０】
このような構成の塗布具１では、本体部２０の本体軸２１をキャップ１０へ嵌入させると、本体軸２１の小径部２１ｂの外周部がキャップ１０に設けられた気密環１１ｆに当接しながら僅かに押し広げるようにして嵌入される。そして、本体軸２１に設けられた係合環２１ｃが、キャップ１０に設けられた係合突起１１ｇを乗り越えるようにして嵌入されると、本体軸２１の大径部２１ａの端部がキャップ１０の開口１１ｃの端部に当接して装着が完了する。
【００４１】
この状態では、本体軸２１の小径部２１ｂの外周部は、キャップ１０の気密環１１ｆを押圧するようにして当接し、気密室１１ｅの気密性が確保される。また、筆記用ボール２２ａは保護部材１３に当接して保護される。
本実施形態の塗布具１は、キャップ１０および本体部２０を合成樹脂材を射出成形することによって形成している。則ち、キャップ１０は筒体１１およびリブ１２を一体的に成形されており、また、本体部２０は、本体軸２１と塗布部２２とを別々に成形し、本体軸２１に塗布部２２を嵌入させて作られている。
【００４２】
ところで、塗布部２２の乾燥を防ぐためには、キャップ１０の気密環１１ｆが本体軸２１の小径部２１ｂの外周部に密接するように、気密環１１ｆの真円度を向上させる必要がある。
本実施形態のキャップ１０では、前記したように、リブ１２を開口１１ｃ近傍の外周部に設けている。則ち、リブ１２を気密環１１ｆの設けられた部位から離れた位置に設けている。これにより、キャップ１０の射出成形時において、リブ１２によって生じるヒケのために気密環１１ｆの真円度が損なわれることがない。
【００４３】
このように、本実施形態のキャップ１０によれば、筒体の１１の外周部１１ａの一部にリブ１２を設けただけの極めて簡単な構成にも拘わらず、飲み込んで喉などにつかえたときの空気流路を確保でき、しかも、体内に深く入り込むことが抑止され、引っ張り出し易い効果を奏する。また、キャップ本来の機能である、塗布部２２の気密保持についても充分な性能を確保することができる。
【００４４】
ここで、本実施形態のキャップ１０では、筒体１１の外周部１１ａに４つのリブ（突出部）１２を設けた構成としたが、リブ１２の数は適宜の数を設けることができる。
例えば、図５（ａ）に示すように、筒体１１の外周部１１ａに中心軸に対して対向するように２つのリブ１２を配した構成とすることができる。また、図５（ｂ）〜（ｄ）に示すように、筒体１１の外周部１１ａに３本のリブ１２を設けたり、あるいは、５本または６本以上のリブ１２を設けた構成としても良い。
【００４５】
（第２実施形態）
次に、キャップにクリップを備えた第２実施形態のキャップ１０’を、図６を参照して説明する。
図６（ａ）はクリップを備えた塗布具用キャップ１０’を示す斜視図、図６（ｂ）は（ａ）のＡ方向矢視図、図６（ｃ）は（ａ）のＢ−Ｂ矢視断面図である。
本実施形態のキャップ１０’は、前記図１で示したキャップ１０の構成において、４本のリブ１２の内の１本のリブ１２をクリップに置き換えた構成としており、同一構成部分には同一の符号を付して重複した説明を省略する。
【００４６】
キャップ１０’は、図６（ａ）で示すように、図１で示したキャップ１０の１つのリブ１２に対応する部分に、クリップ１４の一端１４ａを固定し、クリップ１４の他端１４ｂは筒体１１の開口１１ｃ側へ向けて軸方向へ沿って延伸させた形状である。
このキャップ１０’においても、図６（ｂ）に示すように、筒体１１の最大外径寸法（開口１１ｃ端部における外径寸法）をφＢとし、キャップ１０’の最大外接円の直径（クリップ１４およびリブ１２が設けられた部位の最大外接円の直径）をφＡとすると、φＡがφＢの１．３倍以上（本実施例では１．４倍）の寸法となるように形成される。これにより、キャップ１０’を誤って飲み込んだときの空気流路を確保する形状とされている。
【００４７】
このような構成のキャップ１０’を誤って飲み込んだ場合に形成される空気流路を、図７を参照して説明する。
図７（ａ）は、キャップ１０’にシリコンチューブを被せた場合に形成される空気流路を示す断面図、図７（ｂ）は（ａ）のＡ方向矢視図である。
本実施形態においても、前記したように、キャップ１０’の最大外径寸法（最大外接円の直径）φＡは、筒体１１の最大外径寸法φＢの１．４倍とされている。言い換えれば、筒体１１の最大外形寸法φＢは、キャップ１０’の最大外接円の直径φＡの７１％の寸法である。
【００４８】
従って、キャップ１０’に、最大外径寸法φＡの８０％の内径を有するシリコンチューブＴを被せると、クリップ１４およびリブ１２によってシリコンチューブＴが押し広げられると共に、筒体１１の外周部１１ａとシリコンチューブＴとの間に隙間１ａが生じる。
これにより、キャップ１０を誤って飲み込んで喉や気管に詰まっても、隙間１ａによって空気流路Ｌを形成し、呼吸を維持させつつ必要な処置を行うことが可能となる。
【００４９】
また、クリップ１４を設けることにより、前記図１に示したキャップ１０に比べてキャップ１０’の全長が略２倍に増大する。これにより、誤って飲み込んだ場合でも、キャップ１０’が曲がった喉や気管につかえて体内へ深く入り込むことが一層抑止される。
また、キャップ１０’を筒体１１の閉塞端１１ｂ側から誤って飲み込んでも、クリップ１４およびリブ１２と筒体１１の外周部１１ａとで形成される段部が喉や気管の内壁につかえ易い。これにより体内へ深く入り込むことが阻止される。  また、ピンセットなどを用いてクリップ１４を掴んで引き出すことができる。これにより、キャップ１０’を掴もうとして、キャップ１０’自体を更に奥に押し込んでしまうような不具合が低減する。
また、キャップ１０’をクリップ１４側から誤って飲み込んだ場合でも、クリップ１４の端部１４ｂやリブ１２の端部が喉壁や気管壁につかえ易く、体内に深く入り込み難い。
【００５０】
ここで、本実施形態のキャップ１０’では、筒体１１の外周部１１ａにクリップ１４と３本のリブ（突出部）１２を設けた構成としたが、リブ１２の数は適宜の数を設けることができる。
例えば、図８（ａ）に示すように、筒体１１の外周部１１ａに、クリップ１４に対向するようにリブ１２を１本だけ配した構成とすることができる。また、図８（ｂ）〜（ｄ）に示すように、筒体１１の外周部１１ａにクリップ１４と２本のリブ１２を設けたり、あるいは、クリップ１４と４本または５本以上のリブ１２を設けた構成としても良い。
【００５１】
ところで、塗布具を製造する過程において、成形された多数のキャップ１０’を一時的に１つの容器に収容する場合がある。
例えば、図８（ｃ）に示したような、筒体１１の外周部１１ａにクリップ１４と４本のリブ１２とを設けた構成のキャップ１０’を、容器に多数収容する工程が生じる。
このような場合、図９（ａ）に示すように、キャップ１０’のクリップ１４の一端１４ａとリブ１２との間に形成される隙間ｄ１、あるいは、リブ１２同士の間に形成される隙間ｄ２に、別のキャップ１０’のクリップ１４の先端１４ｂが入り込むなどして繋がってしまうことがある。
繋がったキャップ１０’を分離することは容易であるが、塗布具１を大量に製造する場合、製造工程において、繋がったキャップ１０’を外す手間が作業効率の低下を招くことがある。
【００５２】
そこで、本実施形態のキャップ１０’では、図９（ｂ）に示すように、クリップ１４に隣接する２本のリブ１２を、クリップ１４から離れる方向へ向けて角度α（本実施例では１０度）だけ回転させた位置へ移動させた構成としている。
則ち、クリップ１４の最大幅Ｗが、クリップ１４とリブ１２との間で形成される隙間の幅Ｗ１、あるいは、リブ１２同士の間で形成される隙間の幅Ｗ２，Ｗ３のいずれの幅よりも小さくなる形状としている。
これにより、クリップ１４は隙間ｄ１，ｄ２に挟まることがなくなり、作業効率の低下を抑えることができる。
【００５３】
（変形実施形態）
次に、前記図１に示したキャップ１０、および、図６に示したキャップ１０’の変形例を、図１０〜図１４を参照して説明する。尚、図１０〜図１４では、クリップを設けたキャップとして示しているが、クリップを設けずに突出部だけを設けた形状としても良い。また、前記キャップ１０，１０’と同一構成部分には同一の符号を付して重複した説明を省略する。更に、筒体の最大外径とキャップの最大外接円との関係は、前記図１（ｂ）および図６（ｂ）に示した関係を維持する形状としている。
【００５４】
図１０は、前記実施形態のキャップの変形例であるキャップ５０の正面図、側面図および底面図を示している。
キャップ５０は、リブ（突出部）１２を設ける位置を、筒体１１の開口１１ｃ端部から僅かに閉塞端１１ｂ側に移動させた形状である。
このキャップ５０においても、リブ１２によって喉壁などを押し広げて空気流路を確保することができ、また、筒体１１の外周部１１ａとリブ１２との段差によって、喉などにつかえ易い形状としている。
【００５５】
図１１は、別の変形例のキャップ５１の正面図、側面図および底面図を示している。
キャップ５１は、リブ１２を設ける方向を、筒体１１の外周部１１ａの周方向としたものである。
このキャップ５１においても、リブ１２によって喉壁などを押し広げ、リブ１２の端部同士の間に空気流路を確保することができ、また、筒体１１の外周部１１ａとリブ１２とで形成される段部によって、喉などにつかえ易い形状とされている。
リブ１２は筒体の１１の外周部１１ａに１列だけ設けても良いが、図の破線で示すように、リブ１２を２列に配したり、あるいは３列以上設けることも可能である。
【００５６】
図１２は、別の変形例のキャップ５２の正面図、側面図および底面図を示している。
キャップ５２はクリップ１４の形状が異なっている。則ち、クリップ１４の一端１４ａを筒体１１の閉塞端１１ｂの近傍に固定した形状とされている。
このキャップ５２によれば、クリップ１４が筒体１１の外周部１１ａの略全長に沿うように延伸するので、誤って飲み込んだ場合でも、クリップ１４によって喉壁などを筒体１１の全長に渡って押し広げることができ、リブ１２と相まって一層確実に空気流路を確保することができる。また、筒体１１の外周部１１ａとリブ１２との段差によって、喉などに引っ掛かり易い形状とされている。
【００５７】
図１３は、キャップ５３の正面図、側面図および底面図を示している。
キャップ５３は、筒体１１の形状を変更したもので、閉塞端１１ｂを球面形状に代えて略平面形状にした点が異なっている。
このキャップ５３によれば、誤って閉塞端１１ｂ側から飲み込んだ場合でも、球面形状である場合に比べて、筒体１１が喉壁などから抵抗を受けやすく、体内に深く入り込み難い。
また、リブ１２により空気流路を確保することができると共に、筒体１１の外周部１１ａとリブ１２との段差によって、喉などに引っ掛かり易い形状とされている。
【００５８】
図１４（ａ），（ｂ）は、突出部に突起を用いた構成のキャップ５４，５５を示した斜視図である。
これまでに説明したキャップの突出部は、全てリブを用いた構成であった。
しかし、前記したように、突出部は、喉壁などを押し広げて筒体の外周部と喉壁との間に隙間を作る機能と、筒体の表面に引っ掛かりを作る機能を有するものであれば良く、リブに代えて突起を用いて構成することもできる。
【００５９】
例えば、図１４（ａ）に示すように、円柱形状の突起１２’を筒体１１の外周部１１ａに３個設けた構成としても良い。また、突起１２’を破線で示すように２列に設けても良く、更に、３列以上設ける構成としても良い。
また、図１４（ｂ）に示すように、円錐台形状の突起１２”を用いて構成することも可能である。この場合も、破線で示すように、２列以上の突起１２”を設けた構成とすることができる。
更に、図には示していないが、角柱形の突起などを設けた構成としても良い。
【００６０】
尚、前記第１、第２実施形態、および、変形実施形態では、リブ（突出部）１２を筒体１１の開口１１ｃの近傍に設けた形状として述べたが、気密環１１ｆが設けられた部分を除く筒体１１の外周部１１ａの適宜の位置に設けることができる。
【符号の説明】
【００６１】
１        塗布具
１０，１０’，５０，５１，５２，５３，５４，５５  塗布具用キャップ
１１      筒体
１１ａ    筒体の外周部
１１ｃ    筒体の開口
１１ｄ    筒体の内周部
１１ｆ    気密環
１２      突出部（リブ）
１２’，１２”  突出部（突起）
１４      クリップ
１４ａ    クリップの端部
２０      本体部
２２      塗布部
φＡ      最大外接円の直径
φＢ      筒体の最大外径
Ｗ        クリップの最大幅
Ｗ１，Ｗ２，Ｗ３    隙間の最小幅
【図１】
2011152797.tif 000003
【図２】
2011152797.tif 000004
【図３】
2011152797.tif 000005
【図４】
2011152797.tif 000006
【図５】
2011152797.tif 000007
【図６】
2011152797.tif 000008
【図７】
2011152797.tif 000009
【図８】
2011152797.tif 000010
【図９】
2011152797.tif 000011
【図１０】
2011152797.tif 000012
【図１１】
2011152797.tif 000013
【図１２】
2011152797.tif 000014
【図１３】
2011152797.tif 000015
【図１４】
2011152797.tif 000016
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
一端が閉塞された筒体で形成され、塗布具の本体部に装着して塗布部を気密保持する塗布具用キャップにおいて、
前記筒体の外周部の開口側の近傍に突出部を設け、突出部は周方向へ間隔をおいて複数設けられており、
一端が前記筒体の外周部に固定され、他端が筒体の開口側へ向けて略軸方向へ沿って延伸するクリップを設けたことを特徴とする塗布具用キャップ。
【請求項２】
前記突出部の筒体の周方向の最大幅は、突出部同士の間で形成される隙間の筒体の周方向の最小幅より小さくなっていることを特徴とする請求項１に記載の塗布具用キャップ。
【請求項３】
前記突出部は、突起で形成されることを特徴とする請求項１又は２に記載の塗布具用キャップ。
【請求項４】
前記突出部は、略軸方向または略周方向へ向けて突設される所定長のリブで形成されることを特徴とする請求項１又は２に記載の塗布具用キャップ。
【請求項５】
キャップの最大外接円の直径が、前記筒体の最大外径の１．２５倍以上であることを特徴とする請求項１乃至４のいずれか１項に記載の塗布具用キャップ。
【請求項６】
キャップの最大外接円の直径が、前記筒体の最大外径の１．３倍以上であることを特徴とする請求項１乃至４のいずれか１項に記載の塗布具用キャップ。
【請求項７】
前記クリップの最大幅が、隣接する突出部同士の間で形成される隙間の最小幅、あるいは、隣接する突出部とクリップの間で形成される隙間の最小幅のいずれよりも小さいことを特徴とする請求項１乃至６のいずれか１項に記載の塗布具用キャップ。
【請求項８】
前記筒体の内周部には、前記本体部の周部と当接または係合して気密を保持する少なくとも１以上の気密環が設けられており、前記突出部および前記クリップの端部は、当該気密環の設けられた部位を除く筒体の外周部に設けられることを特徴とする請求項１乃至７のいずれか１項に記載の塗布具用キャップ。
【請求項９】
前記突出部または前記クリップの少なくともいずれか一方は、前記筒体と一体的に成形されることを特徴とする請求項１乃至８のいずれか１項に記載の塗布具用キャップ。
【手続補正２】
【補正対象書類名】明細書
【補正対象項目名】全文
【補正方法】変更
【補正の内容】
【発明の詳細な説明】
【技術分野】
【０００１】
本発明は、ボールペンやサインペンなどの種々の塗布具に装着されるキャップに係り、更に詳しくは、構造を簡略化させつつ誤って飲み込んだ場合における空気流路を確保して安全性を向上させたものに関する。
【背景技術】
【０００２】
近時、ボールペンやサインペン、マーカなどの塗布具が普及しており、デザインに趣向を凝らした種々の形のものが使用されている。このような塗布具は、本体部にキャップを装着することにより、本体部先端に設けられた塗布部の乾燥を防ぐと共に保護するようにされている。
このような塗布具のキャップは形状が小さいため、幼児や子供が手にとって遊ぶことが多く、誤って飲み込んで窒息するような事故の要因になることがある。
【０００３】
そこで、このような塗布具では、誤ってキャップを飲み込んで喉や気管につかえた場合でも、所定の空気流路を確保できるような形状とすることが安全性規格で義務づけられている。
則ち、誤って飲み込んだ場合でも、所定の空気流路を介して呼吸を維持させつつ、その間に必要な処置を行うことにより、安全性を確保するようにされている。このように、尊い命を守るべく安全性規格に準拠した塗布具が製品化されている。
【０００４】
ところで、塗布具のキャップは、前記したように本体部に装着されて、本体部先端に設けられた塗布部の乾燥を防ぐと共に保護するものである。このため、塗布部に対しては気密性が要求される。一方、キャップを飲み込んだときの空気流路を確保しなければならない。則ち、キャップを本体部に装着したときには、キャップの内部空間と外部とが連通してはならず、しかも、キャップ単体では、開口側を除いてキャップの内部空間と外部とを連通させなければならない。このように、キャップに要求される気密性の機能と安全性とが相反するものであった。
そこで、相反する条件を満足するべく、二重構造のキャップが用いられるようになった。
この二重構造のキャップは、塗布部の乾燥を防ぐための内筒部と、内筒部を内包する外筒部とを有した二重構造を有し、内筒部と外筒部との間に隙間を設けて空気流路を確保するものである。この二重構造のキャップは、一般に合成樹脂材を射出成形して一体化して形成されるものが多い。
【先行技術文献】
【特許文献】
【０００５】
【特許文献１】実開平４−１０４４８７号公報
【発明の概要】
【発明が解決しようとする課題】
【０００６】
ところが、前記した二重構造のキャップは、気密性のみを考慮したキャップに比べて構造が極めて複雑になり、金型の複雑化に伴ってコストの増加を招き、製造を困難なものにしていた。
また、このような内筒部と外筒部とを有した二重構造のキャップは、円筒形の外形を有するものが多く、喉などにつかえにくいため、誤って飲み込んでしまうと、途中でつかえずに体内に深く入り込み易い不具合があった。
【０００７】
本発明は、従来のこのような問題点に鑑みて提案されるもので、極めて簡単な構造で、キャップ本来の塗布部の気密保持を行うと共に、誤って飲み込んだ場合でも空気流路を確保することのできる塗布具用キャップを提供することを目的としている。
【課題を解決するための手段】
【０００８】
前記目的を達成するために提案される本発明は、一端が閉塞された筒体で形成され、塗布具の本体部に装着して塗布部を気密保持する塗布具用キャップにおいて、筒体の外周部の一部に突出部を設けた構成としている。
【０００９】
キャップが筒体だけで構成されたものでは、筒体の外周部は滑らかであり、誤って飲み込むと、喉などでつかえずに体内に深く入り込み、気管まで達してしまう虞がある。
しかし、本発明のキャップは、筒体の外周部の一部に突出部を設けている。則ち、筒体の外周部は滑らかであるが、突出部を設けることで引っ掛かりを生じさせている。特に、本発明では、筒体の外周部の全長に渡って突出部を設けるのではなく、外周部の一部分だけに突出部を設けている。
これにより、筒体の外周部と突出部との間に段部が形成され、喉や気管などの内径の異なる部分でつかえ易くしている。
【００１０】
一方、誤って飲み込んだキャップが喉や気管でつかえると、筒体に設けられた突出部によって、喉壁や気管壁が押し広げられる。これにより、筒体の外周部と喉壁や気管壁との間に隙間が生じ、この隙間を介して空気流路が形成されて呼吸を維持させることが可能となる。
則ち、従来のキャップが内部空間と外部とを連通させる空気流路を確保するものであったのに対して、本発明のキャップは、キャップの外周部に沿った空気流路を確保する点に特徴を有するものである。これにより、複雑な２重構造を採る必要がなく、構造が極めて単純になる。
【００１１】
また、本発明のキャップは、筒体の一端が閉塞されているので、キャップ本来の機能、則ち、塗布具の本体部に装着して塗布部を気密保持すると共に保護することが可能である。
更に、筒体の外周部に突出部を設けることにより、キャップ単体の転がり、あるいは、キャップを本体部へ装着したときの塗布具自体の転がりを防止する効果を奏する。
【００１２】
前記本発明において、突出部は、筒体の開口側の近傍に設けた構成としている。
筒体の開口側近傍の外周部にだけ突出部を設けることにより、喉や気管などの内径が変化する部分や、管が曲がった部分で突出部がつかえ易くなる。
これにより、誤って、キャップの開口側あるいは閉塞端側のいずれの方向から飲み込んでも、筒体の突出部が喉壁や気管壁につかえて、体内の奥へ入り込むことが抑止される。
また、閉塞端側から飲み込んだキャップを引き出す場合、突出部同士の間の隙間と筒体の内周部との間にピンセットなどを差し込んで掴むことができる。これにより、キャップを掴もうとして、キャップ自体が更に体内に押し込まれるような不具合が低減する。
突出部は、筒体の開口側の近傍以外にも、閉塞端側や中央部に設けることもできる。
【００１３】
前記本発明において、一端が筒体の外周部に固定され、他端が筒体の開口側へ向けて略軸方向へ沿って延伸するクリップを設けた構成としている。
クリップの端部は、筒体の外周部の適宜の位置に固定することができる。
例えば、クリップの端部を筒体の開口側近傍に固定し、筒体の開口側へ向けて軸方向へ沿って延伸させることができる。また、クリップの端部を筒体の閉塞端側近傍に固定し、筒体の開口側へ向けて延伸させても良い。また、クリップの端部を筒体の中央部、則ち、開口側と閉塞端側との途中に固定することも可能である。
【００１４】
筒体にクリップを設けることにより、塗布具をポケットなどに固定できるのは勿論であるが、更なる効用として、誤って飲み込んだ場合の体内への侵入が抑制される点が挙げられる。
則ち、口から喉を通って気管に至る流路は、直線状ではなく曲がっている。このため、直線状でできるだけ長い形状の物ほど、誤って飲み込んだ場合に体内に入り込み難い。
【００１５】
本発明のキャップは、クリップが筒体から延伸するように設けられるので、筒体だけの場合に比べてキャップの全長が増大し、体内へ入り込み難くなる。
また、キャップを筒体の閉塞端側から誤って飲み込んだ場合には、クリップの先端部をピンセットなどで掴んで引き出し易い。逆に、キャップをクリップ側から飲み込んだ場合は、筒体の閉塞端側から飲み込んだ場合に比べてクリップの先端部や突出部が喉壁などにつかえ易く、一層体内に入り込み難い。
また、筒体にクリップを設けるので、突出部だけを設ける場合に比べてキャップ自体が一層転がり難くなり、キャップを本体部に装着した場合にも同様に塗布具の転がりを防止できる。
【００１６】
前記本発明において、突出部は、突起で形成される構成とすることができる。
前記したように、本発明のキャップでは、突出部が２つの機能を有する。
則ち、突出部は、キャップが喉壁や気管壁につかえたときに、喉壁などを押し広げるように当接して筒体の外周部と喉壁との間に隙間を作る機能と、筒体の表面に引っ掛かりを持たせる機能とを有する。
従って、これらの機能を有するものであれば、突起（突出部）は、筒体の外周部の一部に適宜に配することができる。突起の数は１つでも良く（参考例）、また、外周部に沿って複数設けることもできる。
また、突起の形状は、例えば、円筒形状、角柱形状、円錐形状などの種々の形状を採ることができる。
突起の先端部は、鋭利なほど、誤って飲み込んだときに喉壁などに引っ掛かり易いが、逆に、喉壁などを傷つけ易い。また、塗布具の使用時におけるキャップの触感も考慮して、突起の先端部は適宜の丸みを持たせるのが良い。
【００１７】
前記本発明において、突出部は、略軸方向または略周方向へ向けて突設される所定長のリブで形成される構成とすることができる。
前記したように、突出部に要求される機能は、喉壁などを押し広げて筒体の外周部と喉壁との間に隙間を作る機能と、筒体の表面に引っ掛かりを持たせる機能であった。従って、このような機能を有する形状であれば、突出部は、前記した突起に限らず、リブを用いて形成することもできる。
【００１８】
リブを略軸方向へ向けて突設する場合、例えば、所定長のリブを筒体の開口側端部から軸方向（閉塞端側）へ向けて筒体の外周部に配することができる。また、軸方向へ向いた同一形状のリブを、外周部に放射状に複数並べて配することができる。このようにリブを軸方向へ向けて設けることにより、リブによって喉壁などを押し広げ、リブと筒体の外周部との間に隙間を生じさせて空気流路を形成することができる。
【００１９】
一方、リブを略周方向へ向けて突設する場合、例えば、所定長のリブを筒体の外周部の周方向へ向けて配することができる。また、同一形状のリブを、リブの端部同士の間に所定の間隔をあけて軸に対して放射状に複数配することができる。また、周方向へ向けて設けたリブと同一形状のリブを、軸方向へ向けて複数列並べて配することも可能である。
このようにリブを周方向へ向けて設けることにより、リブによって喉壁などを押し広げ、リブの端部と筒体の外周部との間に隙間を生じさせて空気流路を形成することができる。
【００２０】
前記本発明において、キャップの最大外接円の直径が、筒体の最大外径の１．２５倍以上である構成とすることができる。
ここで、本発明のキャップでは、筒体の外周部に突出部あるいはクリップを設けているので、突出部が設けられた部位、または、突出部およびクリップが設けられた部位において最大外接円が得られる。この最大外接円の直径が、筒体の最大外径の１．２５倍以上である構成とすることができる。
前記したように、突出部は、喉壁などを押し広げて筒体の外周部と喉壁との間に隙間を作る機能と、筒体の表面に引っ掛かりを作る機能を有するものであり、クリップも同様の機能を有する。
従って、突出部の高さあるいはクリップの高さ（厚さ）が増大するに連れて、隙間が広がり、引っ掛かり易くなる。
【００２１】
ところで、キャップを誤って飲み込んで喉や気管につかえた場合に、形成される空気流路は、キャップに弾性チューブなどを被せて等価的に評価できる。
例えば、キャップ全体に、キャップの最大外径の８０％〜８５％の内径を有する弾性チューブ（シリコンチューブなど）を被せ、この状態で所定の空気流量が得られる空気流路を確保することによって等価的に安全性を評価できる。
則ち、キャップの筒体の最大外径がキャップの最大外径の８０％未満であれば、キャップの最大外径の８０％の内径を有するチューブを被せると、筒体の外周部とチューブ内壁との間に隙間を生じさせて空気流路を形成することができる。
言い換えれば、キャップの最大外径が筒体の最大外径の１．２５倍以上であれば、喉壁などとの間に隙間を生じさせることが可能である。
【００２２】
従って、突出部が設けられた部位、または、突出部およびクリップが設けられた部位の最大外接円の直径は、空気流路を確保するために、筒体の最大外径の１．２５倍以上であれば良い。
最大外接円の直径が筒体の最大外径の１．２５倍に満たないとき、則ち、突出部やクリップの高さが充分でないときは、筒体の外周部と喉壁などとの間に充分な隙間が確保できず、空気流路が形成されない虞が生じる。また、１．２５倍に満たない形状ではクリップや突出部の高さが充分でないために、筒体の表面の引っ掛かりとしての効果も低減する。
【００２３】
前記本発明において、キャップの最大外接円の直径が、筒体の最大外径の１．３倍以上である構成とすることができる。
前記したように、キャップの最大外径の８０％の内径を有するチューブをキャップに被せた場合に、キャップの最大外接円の直径が、筒体の最大外径の１．２５倍以上であれば空気流路を確保できる。しかし、キャップの最大外接円の直径を、筒体の最大外径の１．３倍以上とすることが望ましい。
キャップの最大外接円の直径が、筒体の最大外径の１．３倍以上であれば、キャップにチューブを被せた場合に、一層大きな隙間が形成され、安定した空気流路を確保することができる。また、筒体の表面の引っ掛かりとしての効果も更に増大する。
【００２４】
前記本発明において、クリップの最大幅が、隣接する突出部同士の間で形成される隙間の最小幅、あるいは、隣接する突出部とクリップの間で形成される隙間の最小幅のいずれよりも小さい構成とすることができる。
キャップの製造工程において、一時的に多数のキャップを１つの容器に収納することがある。このとき、キャップのクリップが、別のキャップの突出部同士の間の隙間に入り込んだり、あるいは、別のキャップの突出部とクリップの間の隙間に入り込んで繋がった状態となり、製造工程における作業能率を低下させることがある。
本発明のキャップによれば、クリップの最大幅が隙間の最小幅よりも小さくなるようにキャップが形成される。これにより、クリップ同士が繋がるような不具合がなくなり、作業能率の低下が防止される。
【００２５】
前記本発明において、筒体の内周部には、本体部の周部と当接または係合して気密を保持する少なくとも１以上の気密環が設けられており、突出部およびクリップの端部は、気密環の設けられた部位を除く筒体の外周部に設けられる構成とすることができる。
塗布具のキャップは、本来、本体部に装着して塗布部を気密保持しつつ保護する物である。
キャップを本体部に被せて塗布部の気密を保持させるには、キャップの内周部と、キャップが嵌合する本体部の外周部との形状を一致させるように精密に製造する必要が生じる。
【００２６】
このため、キャップおよび本体部を合成樹脂材を射出成形して製造するような場合、成形品に高い寸法精度が要求され、金型の作成が困難になる。
そこで、例えば、キャップの筒体の内周部に僅かに突出させた気密環を周方向へ向けて全周に渡って設け、キャップを本体部に嵌合させたときに、若干のテーパを設けた本体部によって気密環を僅かに弾性変形させつつ本体部の外周部に押圧して、高い気密性を得る構成が採られる。このため、キャップの筒体の内周部に設ける気密環には真円度が要求される。
ところが、筒体の気密環を設けた部位の外周部に、部分的に突起やリブなどを設けると、射出成形時にヒケや気泡が発生し易く、気密環の真円度が著しく損なわれる。
【００２７】
しかし、本発明のキャップによれば、筒体の外周部に設ける突出部（突起やリブ）あるいはクリップの端部は、気密環の設けられた部位を除く筒体の外周部に設けられる。これにより、射出成形によって気密環の真円度が損なわれることがなく、高い気密性を確保することができる。
【００２８】
また、前記本発明において、突出部またはクリップの少なくともいずれか一方は、筒体と一体的に成形される構成とすることができる。
本発明のキャップは、前記したように、筒体の外周部に突出部を設けた構成、あるいは、筒体の外周部に突出部およびクリップを設けた構成である。
従って、筒体と突出部やクリップを別々に作り、筒体に突出部やクリップを接合してキャップを製造することもできる。しかし、製造に手間が掛かり作業効率が悪い。
本発明のキャップは、前記したように極めて単純な構成であるので、例えば、合成樹脂材を射出成形して形成する場合、金型の製作も容易である。
筒体、突出部およびクリップを一体化して成形することにより、製造コストを低減し、作業効率を向上させることができる。
【発明の効果】
【００２９】
本発明の塗布具用キャップによれば、極めて簡単な構造によって、体内に深く入り難く、引き出し易い形状で、しかも、喉や気管につかえたときには空気流路を確保することが可能となる。また、キャップ本来の機能である気密性にも優れている。これにより、安全性を確保し、省コスト化が図れ、作業効率を向上させた塗布具用キャップを提供できる。
【図面の簡単な説明】
【００３０】
【図１】（ａ）は本発明の参考例に係るキャップの斜視図、（ｂ）は（ａ）のＡ方向矢視図、（ｃ）は（ａ）のＢ−Ｂ矢視断面図である。
【図２】（ａ）は図１に示すキャップをチューブに通した状態で形成される空気流路を示す断面図、（ｂ）は（ａ）のＡ方向矢視図である。
【図３】図１に示すキャップを飲み込んだ状態を示す断面図である。
【図４】図１に示すキャップを塗布具の本体部へ装着した状態を示す断面図である。
【図５】（ａ）〜（ｄ）は、図１に示すキャップにおいて、リブ（突出部）を設ける数を変化させた例を示す説明図である。
【図６】（ａ）は本発明の第１実施形態に係るキャップの斜視図、（ｂ）は（ａ）のＡ方向矢視図、（ｃ）は（ａ）のＢ−Ｂ矢視断面図である。
【図７】（ａ）は図６に示すキャップをチューブに通した状態で形成される空気流路を示す断面図、（ｂ）は（ａ）のＡ方向矢視図である。
【図８】（ａ）〜（ｄ）は、図６に示すキャップにおいて、リブ（突出部）を設ける数を変化させた例を示す説明図である。
【図９】（ａ）は図８（ｃ）に示すキャップのクリップが、隙間に挟まる状態を示す説明図、（ｂ）はクリップが隙間に挟まらない形状を示す説明図である。
【図１０】本発明の別の実施形態のキャップを示す正面図、側面図および底面図である。
【図１１】本発明の別の実施形態のキャップを示す正面図、側面図および底面図である。
【図１２】本発明の別の実施形態のキャップを示す正面図、側面図および底面図である。
【図１３】本発明の別の実施形態のキャップを示す正面図、側面図および底面図である。
【図１４】（ａ），（ｂ）は、突出部（突起）を設けた別の実施形態のキャップを示す斜視図である。
【発明を実施するための形態】
【００３１】
以下に、図面を参照して本発明の実施形態を説明する。
【００３２】
（参考例）
図１は本発明の参考例の塗布具用キャップ１０を示すもので、図１（ａ）は塗布具用キャップ１０を示す斜視図、図１（ｂ）は（ａ）のＡ方向矢視図、図１（ｃ）は（ａ）のＢ−Ｂ矢視断面図である。
キャップ１０は一端が閉塞された円筒形の筒体１１の外周部１１ａに、４本の突出部（リブ）１２を設けた形状である。
【００３３】
詳細に説明すると、筒体１１の一端は閉塞されて閉塞端１１ｂを形成しており、閉塞端１１ｂは半球形状である。筒体１１の他端は開放されて開口１１ｃを形成している。この筒体１１は開口１１ｃ側の外径に対して閉塞端１１ｂ側の外径が僅かに小さくなるように形成されている。
開口１１ｃ側の外周部１１ａには、開口１１ｃの端部からキャップ１０の軸方向へ向けて短いリブ１２が、周方向へ９０度の間隔をおいて４本突設されている。
リブ１２は、短い角柱片形状であり、表面は面取が施されて丸みを帯びている。このリブ１２は、開口１１ｃ側から閉塞端１１ｂ側に向かうに連れて高さが僅かに減少する形状である。また、各々のリブ１２の開口１１ｃ側の端部には、半球形の飾り玉１１ａが設けられている。
【００３４】
このキャップ１０では、キャップ１０の外径寸法と筒体１１の外径寸法との間に所定の関係を持たせた形状としている。
則ち、図１（ｂ）に示すように、筒体１１の最大外径寸法（開口１１ｃ端部における外径寸法）をφＢとし、キャップ１０の最大外接円の直径（リブ１２が設けられた部位の最大外接円の直径）をφＡとすると、φＡがφＢの１．３倍以上（本実施例では１．４倍）の寸法となるようにしている。これにより、後述するように、キャップ１０を誤って飲み込んだときの空気流路が確保されるようにしている。
【００３５】
また、図１（ｃ）に示すように、筒体１１の内部は空洞であり、後述する塗布具本体と嵌合して塗布部を気密保持する気密室１１ｅが形成されている。
筒体１１は、開口１１ｃ端部から閉塞端１１ｂに向かうに連れて僅かに内径寸法が減少する形状である。そして、開口１１ｃ近傍の内周壁１１ｄにおけるリブ１２に対応した部位に、内部に僅かに突出した４つの係合突起１１ｇが設けられている。
また、筒体１１の長さ方向の略中央部には、内周壁１１ｄから僅かに内部へ突出した３本の気密環１１ｆが、内周方向へ向けて設けられている。
更に、筒体１１の閉塞端１１ｂの内部には、後述する塗布部の先端を保護する球形の保護部材１３を保持するリブ１１ｈが、開口１１ｃ側へ向けて４カ所に設けられている。このリブ１１ｈは開口１１ｃ側から閉塞端１１ｂ側に向かうに連れて傾斜した傾斜部と、傾斜部から閉塞端１１ｂ側の間に至る所定高さの保持部で形成されている。
【００３６】
このような構成のキャップ１０を誤って飲み込んだ場合に形成される空気流路を、図２を参照して説明する。
図２（ａ）は、キャップ１０にシリコンチューブを被せた場合に形成される空気流路を示す断面図、図２（ｂ）は（ａ）のＡ方向矢視図である。
キャップ１０が喉や気管につかえた状態は、シリコンチューブＴをキャップ１０全体に被せた状態で等価することができる。この例では、キャップ１０の最大外径φＡの８０％の内径を有するシリコンチューブＴをキャップ１０に被せた状態で、形成される空気流路の評価を行っている。
【００３７】
前記したように、キャップ１０の最大外径寸法φＡは、筒体１１の最大外径寸法φＢの１．４倍としているので、φＢはφＡの７１％の寸法である。
従って、キャップ１０に、最大外径の８０％の内径を有するシリコンチューブＴを被せると、リブ１２によってシリコンチューブＴが押し広げられると共に、筒体１１の外周部１１ａとシリコンチューブＴとの間に隙間１ａが生じる。
則ち、シリコンチューブＴの上流側と下流側は、キャップ１０の筒体１１の外周部１１ａに沿って生じる隙間１ａで形成される空気流路Ｌを介して連通する。これにより、キャップ１０を誤って飲み込んで喉や気管に詰まっても、空気流路Ｌを介して呼吸を維持させつつ必要な処置を行うことが可能となる。
【００３８】
また、キャップ１０に設けられたリブ１２は、空気流路Ｌを形成する機能以外にも、誤って飲み込んだキャップ１０が体内へ深く入り込むことを抑制する働きがある。
図３は、キャップ１０を口３０から飲み込んで喉３１の近傍でつかえた状態を示す断面図である。図から分かるように、喉３１や気管３２は湾曲しており、内径も変化している。従って、キャップ１０を飲み込むと、外周部１１ａとリブ１２とで形成される段部が喉壁や気管壁につかえ易く、キャップ１０が体内に深く入り込むことが抑止される。
また、図３に示したような状態で喉３１につかえたときは、例えば、ピンセットなどを用い、リブ１２同士の間で形成される隙間と筒体１１の内周壁との間に差し込むようにして掴んで引き出すことができる。これにより、キャップ１０を掴むために、キャップ１０自体が更に奥に押し込まれる不具合が低減する。
【００３９】
図４は、参考例のキャップ１０を塗布具１の本体部２０へ装着した状態を示す断面図である。
塗布具１の本体部２０は、筒状の本体軸２１の先端部に塗布部２２を嵌入させて形成される。本体軸２１は、大径部２１ａと先端の小径部２１ｂを有し、大径部２１ａの近傍の小径部２１ｂには、外周部の周方向へ向けて僅かに突出させた係合環２１ｃが設けられている。また、小径部２１ｂは先端に向かうに連れて僅かに外径が小さく形成されている。
また、塗布部２２は円錐形状を有し、先端に筆記用ボール２２ａが装着されている。
【００４０】
このような構成の塗布具１では、本体部２０の本体軸２１をキャップ１０へ嵌入させると、本体軸２１の小径部２１ｂの外周部がキャップ１０に設けられた気密環１１ｆに当接しながら僅かに押し広げるようにして嵌入される。そして、本体軸２１に設けられた係合環２１ｃが、キャップ１０に設けられた係合突起１１ｇを乗り越えるようにして嵌入されると、本体軸２１の大径部２１ａの端部がキャップ１０の開口１１ｃの端部に当接して装着が完了する。
【００４１】
この状態では、本体軸２１の小径部２１ｂの外周部は、キャップ１０の気密環１１ｆを押圧するようにして当接し、気密室１１ｅの気密性が確保される。また、筆記用ボール２２ａは保護部材１３に当接して保護される。
参考例の塗布具１は、キャップ１０および本体部２０を合成樹脂材を射出成形することによって形成している。則ち、キャップ１０は筒体１１およびリブ１２を一体的に成形されており、また、本体部２０は、本体軸２１と塗布部２２とを別々に成形し、本体軸２１に塗布部２２を嵌入させて作られている。
【００４２】
ところで、塗布部２２の乾燥を防ぐためには、キャップ１０の気密環１１ｆが本体軸２１の小径部２１ｂの外周部に密接するように、気密環１１ｆの真円度を向上させる必要がある。
参考例のキャップ１０では、前記したように、リブ１２を開口１１ｃ近傍の外周部に設けている。則ち、リブ１２を気密環１１ｆの設けられた部位から離れた位置に設けている。これにより、キャップ１０の射出成形時において、リブ１２によって生じるヒケのために気密環１１ｆの真円度が損なわれることがない。
【００４３】
このように、参考例のキャップ１０によれば、筒体の１１の外周部１１ａの一部にリブ１２を設けただけの極めて簡単な構成にも拘わらず、飲み込んで喉などにつかえたときの空気流路を確保でき、しかも、体内に深く入り込むことが抑止され、引っ張り出し易い効果を奏する。また、キャップ本来の機能である、塗布部２２の気密保持についても充分な性能を確保することができる。
【００４４】
ここで、参考例のキャップ１０では、筒体１１の外周部１１ａに４つのリブ（突出部）１２を設けた構成としたが、リブ１２の数は適宜の数を設けることができる。
例えば、図５（ａ）に示すように、筒体１１の外周部１１ａに中心軸に対して対向するように２つのリブ１２を配した構成とすることができる。また、図５（ｂ）〜（ｄ）に示すように、筒体１１の外周部１１ａに３本のリブ１２を設けたり、あるいは、５本または６本以上のリブ１２を設けた構成としても良い。
【００４５】
（第１実施形態）
次に、キャップにクリップを備えた第１実施形態のキャップ１０’を、図６を参照して説明する。
図６（ａ）はクリップを備えた塗布具用キャップ１０’を示す斜視図、図６（ｂ）は（ａ）のＡ方向矢視図、図６（ｃ）は（ａ）のＢ−Ｂ矢視断面図である。
本実施形態のキャップ１０’は、前記図１で示したキャップ１０の構成において、４本のリブ１２の内の１本のリブ１２をクリップに置き換えた構成としており、同一構成部分には同一の符号を付して重複した説明を省略する。
【００４６】
キャップ１０’は、図６（ａ）で示すように、図１で示したキャップ１０の１つのリブ１２に対応する部分に、クリップ１４の一端１４ａを固定し、クリップ１４の他端１４ｂは筒体１１の開口１１ｃ側へ向けて軸方向へ沿って延伸させた形状である。
このキャップ１０’においても、図６（ｂ）に示すように、筒体１１の最大外径寸法（開口１１ｃ端部における外径寸法）をφＢとし、キャップ１０’の最大外接円の直径（クリップ１４およびリブ１２が設けられた部位の最大外接円の直径）をφＡとすると、φＡがφＢの１．３倍以上（本実施例では１．４倍）の寸法となるように形成される。これにより、キャップ１０’を誤って飲み込んだときの空気流路を確保する形状とされている。
【００４７】
このような構成のキャップ１０’を誤って飲み込んだ場合に形成される空気流路を、図７を参照して説明する。
図７（ａ）は、キャップ１０’にシリコンチューブを被せた場合に形成される空気流路を示す断面図、図７（ｂ）は（ａ）のＡ方向矢視図である。
本実施形態においても、前記したように、キャップ１０’の最大外径寸法（最大外接円の直径）φＡは、筒体１１の最大外径寸法φＢの１．４倍とされている。言い換えれば、筒体１１の最大外形寸法φＢは、キャップ１０’の最大外接円の直径φＡの７１％の寸法である。
【００４８】
従って、キャップ１０’に、最大外径寸法φＡの８０％の内径を有するシリコンチューブＴを被せると、クリップ１４およびリブ１２によってシリコンチューブＴが押し広げられると共に、筒体１１の外周部１１ａとシリコンチューブＴとの間に隙間１ａが生じる。
これにより、キャップ１０を誤って飲み込んで喉や気管に詰まっても、隙間１ａによって空気流路Ｌを形成し、呼吸を維持させつつ必要な処置を行うことが可能となる。
【００４９】
また、クリップ１４を設けることにより、前記図１に示したキャップ１０に比べてキャップ１０’の全長が略２倍に増大する。これにより、誤って飲み込んだ場合でも、キャップ１０’が曲がった喉や気管につかえて体内へ深く入り込むことが一層抑止される。
また、キャップ１０’を筒体１１の閉塞端１１ｂ側から誤って飲み込んでも、クリップ１４およびリブ１２と筒体１１の外周部１１ａとで形成される段部が喉や気管の内壁につかえ易い。これにより体内へ深く入り込むことが阻止される。  また、ピンセットなどを用いてクリップ１４を掴んで引き出すことができる。これにより、キャップ１０’を掴もうとして、キャップ１０’自体を更に奥に押し込んでしまうような不具合が低減する。
また、キャップ１０’をクリップ１４側から誤って飲み込んだ場合でも、クリップ１４の端部１４ｂやリブ１２の端部が喉壁や気管壁につかえ易く、体内に深く入り込み難い。
【００５０】
ここで、本実施形態のキャップ１０’では、筒体１１の外周部１１ａにクリップ１４と３本のリブ（突出部）１２を設けた構成としたが、リブ１２の数は適宜の数を設けることができる。
例えば、図８（ａ）に示すように、筒体１１の外周部１１ａに、クリップ１４に対向するようにリブ１２を１本だけ配した構成とすることができる（参考例）。また、図８（ｂ）〜（ｄ）に示すように、筒体１１の外周部１１ａにクリップ１４と２本のリブ１２を設けたり、あるいは、クリップ１４と４本または５本以上のリブ１２を設けた構成としても良い。
【００５１】
ところで、塗布具を製造する過程において、成形された多数のキャップ１０’を一時的に１つの容器に収容する場合がある。
例えば、図８（ｃ）に示したような、筒体１１の外周部１１ａにクリップ１４と４本のリブ１２とを設けた構成のキャップ１０’を、容器に多数収容する工程が生じる。
このような場合、図９（ａ）に示すように、キャップ１０’のクリップ１４の一端１４ａとリブ１２との間に形成される隙間ｄ１、あるいは、リブ１２同士の間に形成される隙間ｄ２に、別のキャップ１０’のクリップ１４の先端１４ｂが入り込むなどして繋がってしまうことがある。
繋がったキャップ１０’を分離することは容易であるが、塗布具１を大量に製造する場合、製造工程において、繋がったキャップ１０’を外す手間が作業効率の低下を招くことがある。
【００５２】
そこで、本実施形態のキャップ１０’では、図９（ｂ）に示すように、クリップ１４に隣接する２本のリブ１２を、クリップ１４から離れる方向へ向けて角度α（本実施例では１０度）だけ回転させた位置へ移動させた構成としている。
則ち、クリップ１４の最大幅Ｗが、クリップ１４とリブ１２との間で形成される隙間の幅Ｗ１、あるいは、リブ１２同士の間で形成される隙間の幅Ｗ２，Ｗ３のいずれの幅よりも小さくなる形状としている。
これにより、クリップ１４は隙間ｄ１，ｄ２に挟まることがなくなり、作業効率の低下を抑えることができる。
【００５３】
（変形実施形態）
次に、前記図１に示したキャップ１０、および、図６に示したキャップ１０’の変形例を、図１０〜図１４を参照して説明する。尚、図１０〜図１４では、クリップを設けたキャップとして示しているが、クリップを設けずに突出部だけを設けた形状としても良い（参考例）。また、前記キャップ１０，１０’と同一構成部分には同一の符号を付して重複した説明を省略する。更に、筒体の最大外径とキャップの最大外接円との関係は、前記図１（ｂ）および図６（ｂ）に示した関係を維持する形状としている。
【００５４】
図１０は、前記実施形態のキャップの変形例であるキャップ５０の正面図、側面図および底面図を示している。
キャップ５０は、リブ（突出部）１２を設ける位置を、筒体１１の開口１１ｃ端部から僅かに閉塞端１１ｂ側に移動させた形状である。
このキャップ５０においても、リブ１２によって喉壁などを押し広げて空気流路を確保することができ、また、筒体１１の外周部１１ａとリブ１２との段差によって、喉などにつかえ易い形状としている。
【００５５】
図１１は、別の変形例のキャップ５１の正面図、側面図および底面図を示している。
キャップ５１は、リブ１２を設ける方向を、筒体１１の外周部１１ａの周方向としたものである。
このキャップ５１においても、リブ１２によって喉壁などを押し広げ、リブ１２の端部同士の間に空気流路を確保することができ、また、筒体１１の外周部１１ａとリブ１２とで形成される段部によって、喉などにつかえ易い形状とされている。
リブ１２は筒体の１１の外周部１１ａに１列だけ設けても良いが、図の破線で示すように、リブ１２を２列に配したり、あるいは３列以上設けることも可能である。
【００５６】
図１２は、別の変形例のキャップ５２の正面図、側面図および底面図を示している。
キャップ５２はクリップ１４の形状が異なっている。則ち、クリップ１４の一端１４ａを筒体１１の閉塞端１１ｂの近傍に固定した形状とされている。
このキャップ５２によれば、クリップ１４が筒体１１の外周部１１ａの略全長に沿うように延伸するので、誤って飲み込んだ場合でも、クリップ１４によって喉壁などを筒体１１の全長に渡って押し広げることができ、リブ１２と相まって一層確実に空気流路を確保することができる。また、筒体１１の外周部１１ａとリブ１２との段差によって、喉などに引っ掛かり易い形状とされている。
【００５７】
図１３は、キャップ５３の正面図、側面図および底面図を示している。
キャップ５３は、筒体１１の形状を変更したもので、閉塞端１１ｂを球面形状に代えて略平面形状にした点が異なっている。
このキャップ５３によれば、誤って閉塞端１１ｂ側から飲み込んだ場合でも、球面形状である場合に比べて、筒体１１が喉壁などから抵抗を受けやすく、体内に深く入り込み難い。
また、リブ１２により空気流路を確保することができると共に、筒体１１の外周部１１ａとリブ１２との段差によって、喉などに引っ掛かり易い形状とされている。
【００５８】
図１４（ａ），（ｂ）は、突出部に突起を用いた構成のキャップ５４，５５を示した斜視図である。
これまでに説明したキャップの突出部は、全てリブを用いた構成であった。
しかし、前記したように、突出部は、喉壁などを押し広げて筒体の外周部と喉壁との間に隙間を作る機能と、筒体の表面に引っ掛かりを作る機能を有するものであれば良く、リブに代えて突起を用いて構成することもできる。
【００５９】
例えば、図１４（ａ）に示すように、円柱形状の突起１２’を筒体１１の外周部１１ａに３個設けた構成としても良い。また、突起１２’を破線で示すように２列に設けても良く、更に、３列以上設ける構成としても良い。
また、図１４（ｂ）に示すように、円錐台形状の突起１２”を用いて構成することも可能である。この場合も、破線で示すように、２列以上の突起１２”を設けた構成とすることができる。
更に、図には示していないが、角柱形の突起などを設けた構成としても良い。
【００６０】
尚、前記第１実施形態、および、変形実施形態では、リブ（突出部）１２を筒体１１の開口１１ｃの近傍に設けた形状として述べたが、気密環１１ｆが設けられた部分を除く筒体１１の外周部１１ａの適宜の位置に設けることができる。
【符号の説明】
【００６１】
１        塗布具
１０，１０’，５０，５１，５２，５３，５４，５５  塗布具用キャップ
１１      筒体
１１ａ    筒体の外周部
１１ｃ    筒体の開口
１１ｄ    筒体の内周部
１１ｆ    気密環
１２      突出部（リブ）
１２’，１２”  突出部（突起）
１４      クリップ
１４ａ    クリップの端部
２０      本体部
２２      塗布部
φＡ      最大外接円の直径
φＢ      筒体の最大外径
Ｗ        クリップの最大幅
Ｗ１，Ｗ２，Ｗ３    隙間の最小幅